(57)【要約】【課題】可動体１の自走に対してのみ制動を付与させる。【解決手段】第一位置ＣＬから第二位置ＯＰに向けて両位置ＣＬ、ＯＰの中間位置Ｎを越える位置まで手動往動された後は第二位置ＯＰまで付勢により自走往動され、かつ、第二位置ＯＰから第一位置ＣＬに向けて両位置ＣＬ、ＯＰの中間位置Ｎを越える位置まで手動復動された後は第一位置ＣＬまで付勢により自走復動される可動体１の制動機構５である。可動体１が第一位置ＣＬにあるとき、付勢により、通し部５１ｂの一端にリンク部５０を突き当てさせた状態でラック形成体５１が復動され切られ、可動体１が第二位置ＯＰにあるとき、付勢により、通し部５１ｂの他端にリンク部５０を突き当てさせた状態でラック形成体５１が往動され切られるようになっている。通し部５１ｂの全長が、可動体１の手動往動及び手動復動によるリンク部５０の移動距離とほぼ等しくなつている。【選択図】図１
2006240533.tif 000002
【特許請求の範囲】
【請求項１】
第一位置と第二位置との間に亘る往復動可能に本体に支持される可動体であって、第一位置から第二位置に向けて両位置の中間位置を越える位置まで手動往動された後は第二位置まで付勢により自走往動され、かつ、第二位置から第一位置に向けて両位置の中間位置を越える位置まで手動復動された後は第一位置まで付勢により自走復動される可動体の制動機構であって、
可動体側に備えられるリンク部と、
ラック形成体と、
本体側に備えられてラック形成体を支持する支持部と、
本体側に備えられると共に、ラック形成体のラックに常時噛み合うピニオンを有し、かつ、このピニオンの回転に制動を付与させるように構成されたダンパ装置とを有しており、
ラック形成体には、長く延びるリンク部の通し部が形成されており、ラック形成体はこの通し部の延長方向に略沿う向きに往復動可能に支持部によって支持されており、
可動体が第一位置にあるとき、前記付勢により、通し部の一端にリンク部を突き当てさせた状態でラック形成体が復動され切られ、
可動体が第二位置にあるとき、前記付勢により、通し部の他端にリンク部を突き当てさせた状態でラック形成体が往動され切られており、
しかも、通し部の全長が、可動体の手動往動及び手動復動によるリンク部の移動距離とほぼ等しくなるようにしてあることを特徴とする制動機構。
【請求項２】
可動体は、本体に回動軸をもって回動可能に組み付けられており、
しかも、この可動体の付勢が、ばね一端を可動体側に、ばね他端を本体側に止められると共に、可動体の中間位置においてばね他端と前記回動軸とを通る仮想の直線上にばね一端を略位置させ、かつ、このときに最も弾性変形されるように配されたねじりコイルばねによってなされるようにしてあることを特徴とする請求項１記載の制動機構。
【請求項３】
支持部が、ラック形成体に形成された、このラック形成体の往復道方向に沿って長く延びる溝に入り込んだ、この溝の溝巾と略等しい径の円柱状体によって構成されていることを特徴とする請求項１又は請求項２記載の制動機構。
【請求項４】
可動体の移動方向に沿ったこの可動体の仮想の中心線を挟んだ両側にそれぞれ、請求項１〜請求項３のいずれか１項に記載の制動機構を備えさせてなることを特徴とする可動体の支持機構。
【発明の詳細な説明】
【技術分野】
【０００１】
この発明は、中間位置を越える位置まで手動往動された後は第二位置まで付勢により自走往動され、かつ、中間位置を越える位置まで手動復動された後は第一位置まで付勢により自走復動される可動体のかかる自走往動および自走復動に対して制動を付与させる制動機構、および、この機構を利用した可動体の支持機構に関する。
【背景技術】
【０００２】
本体に回動可能に支持された蓋体の回転軸、本体側に止め付けられたスプリングの一端、蓋体側に止め付けられたスプリングの他端とが一つの直線上に位置された中立状態から少しでも蓋体を閉じる向きに移動させると、スプリングの作用により蓋体が強制的に閉じ、また、この中立状態から少しでも蓋体を開く向きに移動させると、スプリングの作用により蓋体が強制的に開くように構成された蓋体の開閉支持機構がある。（特許文献１参照）
【０００３】
しかるに、かかる支持機構にあっては、かかる強制的な蓋体の閉じ込み、および、開き出しが勢い良くなされ易いものであった。蓋体の一部に常時接してこの蓋体の回動に制動を付与するダンパ装置を設けさせれば、前記強制的な閉じ込み、および、開き出しを適度に減勢させることはできるが、単純にこのようなダンパ装置を利用することとすると強制的な蓋体の移動を生じさせる前の蓋体の手動移動に不必要な抵抗を生じさせることとなる。
【特許文献１】特開平８−１５６６９８号公報
【発明の開示】
【発明が解決しようとする課題】
【０００４】
この発明が解決しようとする主たる問題点は、中間位置を越える位置まで手動往動された後は第二位置まで付勢により自走往動され、かつ、中間位置を越える位置まで手動復動された後は第一位置まで付勢により自走復動される可動体のかかる自走往動および自走復動に対してのみ制動を付与させるようにする点にある。
【課題を解決するための手段】
【０００５】
前記問題点を解決するために、この発明にあっては制動機構を、以下の（１）〜（９）の構成を備えたものとした。
（１）第一位置と第二位置との間に亘る往復動可能に本体に支持される可動体であって、第一位置から第二位置に向けて両位置の中間位置を越える位置まで手動往動された後は第二位置まで付勢により自走往動され、かつ、第二位置から第一位置に向けて両位置の中間位置を越える位置まで手動復動された後は第一位置まで付勢により自走復動される可動体の制動機構であって、
（２）可動体側に備えられるリンク部と、
（３）ラック形成体と、
（４）本体側に備えられてラック形成体を支持する支持部と、
（５）本体側に備えられると共に、ラック形成体のラックに常時噛み合うピニオンを有し、かつ、このピニオンの回転に制動を付与させるように構成されたダンパ装置とを有しており、
（６）ラック形成体には、長く延びるリンク部の通し部が形成されており、ラック形成体はこの通し部の延長方向に略沿う向きに往復動可能に支持部によって支持されており、
（７）可動体が第一位置にあるとき、前記付勢により、通し部の一端にリンク部を突き当てさせた状態でラック形成体が復動され切られ、
（８）可動体が第二位置にあるとき、前記付勢により、通し部の他端にリンク部を突き当てさせた状態でラック形成体が往動され切られており、
（９）しかも、通し部の全長が、可動体の手動往動及び手動復動によるリンク部の移動距離とほぼ等しくなるようにしてある。
【０００６】
可動体が第一位置にある状態から可動体を第二位置に向けて手動往動させ始めると、復動され切っているラック形成体の通し部の一端に位置されるリンク部も移動されるが、手動往動が終了するまではラック形成体は往動を開始せず、したがって、この手動往動においては可動体の移動にダンパ装置による制動を付与しないようにすることができる。この手動往動が終了するとリンク部がラック形成体の通し部の他端に突き当たることから、前記の付勢による自走往動によりラック形成体は往動を開始し、この自走往動が終了するまでの間、可動体の移動にダンパ装置による制動を付与することができる。
【０００７】
また、可動体が第二位置にある状態から可動体を第一位置に向けて手動復動させ始めると、往動され切っているラック形成体の通し部の他端に位置されるリンク部も移動されるが、手動復動が終了するまではラック形成体は復動を開始せず、したがって、この手動復動においては可動体の移動にダンパ装置による制動を付与しないようにすることができる。この手動復動が終了するとリンク部がラック形成体の通し部の一端に突き当たることから、前記の付勢による自走復動によりラック形成体は復動を開始し、この自走復動が終了するまでの間、可動体の移動にダンパ装置による制動を付与することができる。
【０００８】
前記可動体を、本体に回動軸をもって回動可能に組み付けられたものとし、
しかも、この可動体の付勢が、ばね一端を可動体側に、ばね他端を本体側に止められると共に、可動体の中間位置においてばね他端と前記回動軸とを通る仮想の直線上にばね一端を略位置させ、かつ、このときに最も弾性変形されるように配されたねじりコイルばねによってなされるようにしておくこともある。
【０００９】
このようにした場合、可動体を第一位置から第二位置に向けて両位置の中間位置を越える位置まで手動往動させた後は、ばね一端が前記仮想の直線よりも第二位置に向けて回動される可動体の移動前方側に入り込み位置されることから、この手動往動によって最も弾性変形された可動体の弾性復帰力を可動体を第二位置に向けて回動させる力に変換してこの可動体を第二位置まで自走往動させることができる。また、可動体を第二位置から第一位置に向けて両位置の中間位置を越える位置まで手動復動させた後は、ばね一端が前記仮想の直線よりも第一位置に向けて回動される可動体の移動前方側に入り込み位置されることから、この手動往動によって最も弾性変形された可動体の弾性復帰力を可動体を第一位置に向けて回動させる力に変換してこの可動体を第一位置まで自走往動させることができる。また、第一位置においては第二位置に可動体が戻らないように、また、第二位置においては第一位置に可動体が戻らないように、かかるばねによって可動体をそれぞれ支持することができる。
【００１０】
前記支持部を、ラック形成体に形成された、このラック形成体の往復道方向に沿って長く延びる溝に入り込んだ、この溝の溝巾と略等しい径の円柱状体によって構成させておくこともある。
【００１１】
このようにした場合、かかる支持部とダンパ装置のピニオンとの間でラック形成体を挟み付けるようにして、ラック形成体のラックを常時適切にピニオンに噛み合わせておくことができると共に、このような噛み合わせを維持させながら可動体の移動によってラック形成体が傾きながら移動することも許容できる。
【００１２】
以上説明した制動機構を、可動体の移動方向に沿ったこの可動体の仮想の中心線を挟んだ両側にそれぞれ備えさせて可動体の支持機構を構成させるようにすれば、可動体の自走往動および自走復動に対し可動体の前記両側において制動力を作用させることができる。
【発明の効果】
【００１３】
この発明にかかる制動機構によれば、中間位置を越える位置まで手動往動された後は第二位置まで付勢により自走往動され、かつ、中間位置を越える位置まで手動復動された後は第一位置まで付勢により自走復動される可動体のかかる自走往動および自走復動に対してのみダンパ装置によって制動を付与させることができる。ダンパ装置のピニオンには、支持部によって、可動体の自走往動と自走復動のときに移動されるラック形成体のラックが常時噛み合っていることから、手動往動および手動復動のときには制動力が生じないような構成を備えながら自走往動および自走復動のときには確実に制動力が生じるようにしておくことができる。また、本体に回動可能に組み付けられた可動体にも、スライド可能に組み付けられた可動体にも適用できる。また、かかる機構を構成するダンパ装置については、その据え付け位置を自由度高く設定できる特長を有する。
【発明を実施するための最良の形態】
【００１４】
以下、図１ないし図５に基づいて、この発明を実施するための最良の形態について説明する。
【００１５】
なお、ここで図１、図３〜図５は、実施の形態にかかる制動機構５を、本体２に回動可能に組み付けられて第一位置ＣＬにおいてこの本体２の右側部に形成された開口２０を塞ぐ蓋体１０の制動に適用した例を、この本体２の開口２０に隣り合う一方の側部２１側から見て示しており、図１は、蓋体１０（可動体１）が第一位置ＣＬにある様子を、図５は、蓋体１０（可動体１）が第二位置ＯＰにある様子を、図３は、第一位置ＣＬにある蓋体１０を第二位置ＯＰに向けて手動往動させて略中間位置Ｎに至らしめた様子を、図４は、第二位置ＯＰにある蓋体１０を第一位置ＣＬに向けて手動復動させて略中間位置Ｎに至らしめた様子を、それぞれ示している。また、図５は、本体２の両側にそれぞれ制動機構５を備えさせたときの様子を図１の状態において本体２の下方から視て示している。
【００１６】
この実施の形態にかかる制動機構５は、第一位置ＣＬと第二位置ＯＰとの間に亘る往復動可能に本体２に支持される可動体１であって、第一位置ＣＬから第二位置ＯＰに向けて両位置ＣＬ、ＯＰの中間位置Ｎを越える位置まで手動往動された後は第二位置ＯＰまで付勢により自走往動され、かつ、第二位置ＯＰから第一位置ＣＬに向けて両位置ＣＬ、ＯＰの中間位置Ｎを越える位置まで手動復動された後は第一位置ＣＬまで付勢により自走復動される可動体１のかかる自走往動および自走復動に対して制動を付与させるものである。
【００１７】
可動体１としては、引き出し装置における引き出しや、各種の収納箱の開口２０を塞ぐ蓋体などが予定される。
【００１８】
図示の例では、かかる可動体１を、一側部に開口２０を備えた本体２の、この開口２０を第一位置ＣＬにおいて塞ぐように、この本体２に組み付けられた蓋体１０としている。
【００１９】
図示の例では、かかる可動体１は、本体２に回動軸３をもって回動可能に組み付けられている。具体的には、図示の例では、可動体１は、第一位置ＣＬにおいて前記開口２０に背面１０ａを押し付けるようにしてこの開口２０を閉塞する板状をなすと共に、この第一位置ＣＬにおいて上端部１０ｂを回動軸３によって本体２に回動可能に組み付けさせている。そして、図示の例では、可動体１は、この回動軸３を中心に、第一位置ＣＬにおいて下端部１０ｃとなっていた端部を第二位置ＯＰにおいて回動軸３のレベルよりも上方に位置させて前記開口２０を開放するようになっている。
【００２０】
また、図示の例では、かかる可動体１の前記付勢が、ばね一端４０を可動体１側に、ばね他端４１を本体２側に止められると共に、可動体１の中間位置Ｎにおいてばね他端４１と回動軸３とを通る仮想の直線ｘ上にばね一端４０を略位置させ、かつ、このときに最も弾性変形されるように配されたねじりコイルばね４によってなされるようにしてある。
【００２１】
具体的には、図示の例にあっては、可動体１の回動軸３を中心とした仮想の円の円弧に沿うように湾曲状に形成されたアーム１１が、アーム前端を可動体１、ここでは蓋体１０の背面１０ａに、一体に接続させた状態で可動体１に備えられている。このアーム１１は、本体２の開口２０に隣り合う側部２１の外側に位置されるようになっている。そして図示の例にあっては、前記ばねのピン状をなすばね一端４０がかかるアーム１１のアーム後端１１ａに形成された孔１１ｂに入れ込まれていると共に、このばねのループ状をなすばね他端４１が回動軸３の略直下位置において、本体２の側部２１の外面部に形成された円柱状をなすばね支持部２２にこのばね支持部２２をループ内に納めるようにして止められている。そして、図示の例では、可動体１が第一位置ＣＬにあるときと第二位置ＯＰにあるときとでそれぞれ、このばねが最も弾性変形されない状態に置かれるようになっている。（図１、図５／つまり、ばね一端４０とばね他端４１との間の間隔を最も広くする。）
【００２２】
これにより図示の例では、可動体１を第一位置ＣＬから第二位置ＯＰに向けて両位置ＣＬ、ＯＰの中間位置Ｎを越える位置まで手動往動させた後は、ばね一端４０が前記仮想の直線ｘよりも第二位置ＯＰに向けて回動される可動体１の移動前方側に位置されることから、（図３における右側）この手動往動によって最も弾性変形された可動体１の弾性復帰力を可動体１を第二位置ＯＰに向けて回動させる力に変換してこの可動体１を第二位置ＯＰまで自走往動させることができる。また、可動体１を第二位置ＯＰから第一位置ＣＬに向けて両位置ＣＬ、ＯＰの中間位置Ｎを越える位置まで手動復動させた後は、ばね一端４０が前記仮想の直線ｘよりも第一位置ＣＬに向けて回動される可動体１の移動前方側に位置されることから、（図４における左側）この手動往動によって最も弾性変形された可動体１の弾性復帰力を可動体１を第一位置ＣＬに向けて回動させる力に変換してこの可動体１を第一位置ＣＬまで自走往動させることができる。また、第一位置ＣＬにおいては第二位置ＯＰに可動体１が戻らないように、また、第二位置ＯＰにおいては第一位置ＣＬに可動体１が戻らないように、かかるばね４によって可動体１をそれぞれ支持することができる。
【００２３】
かかる制動機構５は、
可動体１側に備えられるリンク部５０と、
ラック形成体５１と、
本体２側に備えられてラック形成体５１を支持する支持部５２と、
本体２側に備えられると共に、ラック形成体５１のラック５１ａに常時噛み合うピニオン５３ａを有し、かつ、このピニオン５３ａの回転に制動を付与させるように構成されたダンパ装置５３とを有している。
【００２４】
図示の例にあっては、リンク部５０は、前記アーム１１のアーム後端１１ａに形成されている。かかるリンク部５０は、アーム１１のアーム後端１１ａに形成されたボルトの通し穴に通されたボルト５０ａを、ラック形成体５１の後述する通し部５１ｂ内にこの通し部５１ｂから抜け出さないようにスリーブ中間部を入れ込まれたスリーブ状体５０ｂにネジ付けることにより構成されている。ボルト５０ａおよびスリーブ状体５０ｂの軸線は回動軸３の軸線と平行をなしている。
【００２５】
ラック形成体５１には、長く延びるリンク部５０の通し部５１ｂが形成されており、ラック形成体５１はこの通し部５１ｂの延長方向に略沿う向きに往復動可能に支持部５２によって支持されている。
【００２６】
図示の例にあっては、ラック形成体５１は、一方板面を本体２の側部２１の外面２１ａに向けた細長いプレート状をなすように構成されている。通し部５１ｂは、かかるラック形成体５１の長さ方向に沿って長く延びる溝状貫通孔として構成されていると共に、かかるラック形成体５１の長さ方向略中程の位置よりも前方側に形成されている。この通し部５１ｂの溝幅は前記スリーブ状体５０ｂの外径と略等しくなるようにしてある。
【００２７】
また、図示の例では、支持部５２は、ラック形成体５１に形成された、このラック形成体５１の長さ方向、すなわち、このラック形成体５１の往復道方向ｙに沿って長く延びる溝５１ｅに入り込んだ、この溝５１ｅの溝５１ｅ巾と略等しい径の円柱状体５２ａによって構成されている。
【００２８】
図示の例では、かかる溝５１ｅは、かかるラック形成体５１の長さ方向略中程の位置よりも後方側に形成されている。この溝５１ｅの全長は、図示の例では、ラック形成体５１の往動および復動における移動距離と略等しくなるようになっている。前記円柱状体５２ａの軸線も回動軸３の軸線と平行をなしている。
【００２９】
図示の例では、かかる支持部５２が前記溝５１ｅの溝巾と略等しい径の円柱状体５２ａによって構成されていることから、この支持部５２とダンパ装置５３のピニオン５３ａとの間でラック形成体５１を挟み付けるようにして、ラック形成体５１のラック５１ａを常時適切にピニオン５３ａに噛み合わせておくことができると共に、このような噛み合わせを維持させながら可動体１の移動によってラック形成体５１が傾きながら移動することも許容できるようになっている。
【００３０】
ダンパ装置５３は、図示の例では、円盤状をなすケース５３ｂと、このケース５３ｂの一面側においてこのケース５３ｂの一面に直交する向きの回転軸を中心にこのケース５３ｂに回転可能に支持されたピニオン５３ａとから構成されている。ピニオン５３ａにはケース５３ｂ内に納められた図示しない内部部分があり、ケース５３ｂに封入されたシリコンオイルなどの粘性流体がこの内部部分に作用してピニオン５３ａの回転に抵抗を付与するようになっている。図示の例では、かかるケース５３ｂの直径方向両側にそれぞれ、ねじの通し穴５３ｄを備えた耳部５３ｃが形成されており、ダンパ装置５３はこの耳部５３ｃの通し穴５３ｄを利用してねじを本体２の側部２１に止め付けることにより、この本体２の側部２１の外面２１ａに備え付けられるようになっている。
【００３１】
そしてこの実施の形態にあっては、可動体１が第一位置ＣＬにあるとき、前記付勢により、通し部５１ｂの一端（図示の例では、後端５１ｃ）にリンク部５０を突き当てさせた状態でラック形成体５１が復動され切られ、（図示の例では、最も後方にラック形成体５１が位置され）
可動体１が第二位置ＯＰにあるとき、前記付勢により、通し部５１ｂの他端（図示の例では、前端５１ｄ）にリンク部５０を突き当てさせた状態でラック形成体５１が往動され切られており、（図示の例では、最も前方にラック形成体５１が位置され）
しかも、かかる通し部５１ｂの全長が、可動体１の手動往動及び手動復動によるリンク部５０の移動距離とほぼ等しくなるようにしてある。
【００３２】
これにより、この実施の形態にかかる制動機構５によれば、可動体１が第一位置ＣＬにある状態から可動体１を第二位置ＯＰに向けて手動往動させ始めると、復動され切っているラック形成体５１の通し部５１ｂの一端（後端５１ｃ）に位置されるリンク部５０も移動されるが、手動往動が終了するまではラック形成体５１は往動を開始せず、したがって、この手動往動においては可動体１の移動にダンパ装置５３による制動を付与しないようにすることができる。この手動往動が終了するとリンク部５０がラック形成体５１の通し部５１ｂの他端（前端５１ｄ）に突き当たることから、前記の付勢による自走往動によりラック形成体５１は往動を開始し、この自走往動が終了するまでの間、可動体１の移動にダンパ装置５３による制動を付与することができる。
【００３３】
また、可動体１が第二位置ＯＰにある状態から可動体１を第一位置ＣＬに向けて手動復動させ始めると、往動され切っているラック形成体５１の通し部５１ｂの他端（前端５１ｄ）に位置されるリンク部５０も移動されるが、手動復動が終了するまではラック形成体５１は復動を開始せず、したがって、この手動復動においては可動体１の移動にダンパ装置５３による制動を付与しないようにすることができる。この手動復動が終了するとリンク部５０がラック形成体５１の通し部５１ｂの一端（後端５１ｃ）に突き当たることから、前記の付勢による自走復動によりラック形成体５１は復動を開始し、この自走復動が終了するまでの間、可動体１の移動にダンパ装置５３による制動を付与することができる。
【００３４】
図２に示されるように、可動体１の移動方向に沿ったこの可動体１の仮想の中心線ｚを挟んだ両側にそれぞれ、以上に説明した制動機構５を備えさせるようにして、可動体１の支持機構を構成させるようにすれば、可動体１の自走往動および自走復動に対し可動体１の前記両側において制動力を作用させることができる。
【図面の簡単な説明】
【００３５】
【図１】制動機構５の適用例を示した側面構成図
【図２】同底面構成図
【図３】制動機構５の適用例を示した側面構成図
【図４】制動機構５の適用例を示した側面構成図
【図５】制動機構５の適用例を示した側面構成図
【符号の説明】
【００３６】
ＣＬ  第一位置
ＯＰ  第二位置
Ｎ  中間位置
１  可動体
２  本体
３  回動軸
５  制動機構
５０  リンク部
５１  ラック形成体
５１ａ  ラック
５１ｂ  通し部
５２  支持部
５３  ダンパ装置
５３ａ  ピニオン
【図１】
2006240533.tif 000003
【図２】
2006240533.tif 000004
【図３】
2006240533.tif 000005
【図４】
2006240533.tif 000006
【図５】
2006240533.tif 000007